(57)【特許請求の範囲】
【請求項１】
通路が閉鎖される閉位置と前記通路が開放される開位置との間で移動する扉の戸尻の可動領域から自動ドアの周囲のヒトを離隔させるように前記自動ドアの近くで固定された防護柵であって、
前記扉の移動に連動して画像を表示する表示面を有する表示部と、
前記表示部に光を出射する光源と、
前記表示部の上縁に沿って側方に延設される上桁部と、前記表示部の下縁に沿って側方に延設される下桁部と、前記表示部の左縁に沿って床面に立設される左支柱と、前記表示部の右縁に沿って床面に立設される右支柱と、を備えた保持フレームと、
前記扉の移動方向を表す方向信号に応じて前記光源を制御する制御回路と、を備え、
前記表示部は、前記左支柱と前記右支柱とにより保持され、
前記制御回路は、前記左支柱と前記右支柱のうちの少なくとも一方に内蔵されている
防護柵。
【請求項２】
前記表示部は、前記光が入射する入射部を含み、
前記表示面は、前記光の少なくとも一部を外部に漏出させる漏出部と、前記入射部から前記漏出部まで導く光導波路部と、を含む
請求項１に記載の防護柵。
【請求項３】
前記方向信号を受信する受信部を更に備え、
前記方向信号が、前記閉位置から前記開位置への前記扉の移動を表すとき、前記表示面に、前記画像として、第１画像が表示されるように、前記制御回路は、前記光源を制御し、
前記方向信号が、前記開位置から前記閉位置への前記扉の移動を表すとき、前記表示面に、前記画像として、前記第１画像とは異なる第２画像が表示されるように、前記制御回路は、前記光源を制御する
請求項２に記載の防護柵。
【請求項４】
前記光源は、前記光として第１光を前記入射部へ出射する複数の第１発光素子が並べられた第１発光素子列と、前記第１光とは色相において相違する第２光を前記光として出射する複数の第２発光素子が並べられた第２発光素子列と、を含み、
前記方向信号が、前記閉位置から前記開位置への前記扉の前記移動を表すとき、前記制御回路は、前記第１発光素子列を点灯させ、
前記方向信号が、前記開位置から前記閉位置への前記扉の前記移動を表すとき、前記制御回路は、前記第２発光素子列を点灯させる
請求項３に記載の防護柵。
【請求項５】
前記入射部は、第１入射部と、前記第１入射部と対向する位置に設けられた第２入射部と、を含み、
前記光源は、前記光として第１光を前記第１入射部へ出射する複数の第１発光素子が並べられた第１発光素子列と、前記光として第２光を前記第２入射部へ出射する複数の第２発光素子が並べられた第２発光素子列と、を含み、
前記方向信号が、前記閉位置から前記開位置への前記扉の前記移動を表すとき、前記制御回路は、前記第１発光素子列を点灯させ、
前記方向信号が、前記開位置から前記閉位置への前記扉の前記移動を表すとき、前記制御回路は、前記第２発光素子列を点灯させる
請求項３に記載の防護柵。
【請求項６】
前記表示面に表示される第１画像は、前記第２入射部よりも前記第１入射部の近くに表示され、
前記表示面に表示される第２画像は、前記第１入射部よりも前記第２入射部の近くに表示される
請求項５に記載の防護柵。
【請求項７】
前記第１画像は、前記第１入射部から前記第２入射部へ向かう第１方向に直交する第２方向において、前記第２画像と相違する位置に表示される
請求項６に記載の防護柵。
【請求項８】
前記表示部は、前記第１画像を形成する第１漏出部を有する第１表示板と、前記第２画像を形成する第２漏出部を有する第２表示板と、を含み、
前記第１表示板は、前記第２表示板に隣接され、
前記第１表示板と前記第２表示板との間に形成された境界は、前記第１表示板内で伝播する前記第１光が前記第２表示板に内部伝播することを妨げる
請求項７に記載の防護柵。
【請求項９】
通行者に情報を提示する他の表示部を更に備え、
前記光源は、前記他の表示部の表示板へ第３光を出射する複数の第３発光素子が並べられた第３発光素子列を含み、
前記他の表示部の表示板は、前記第３光が入射する第３入射部と、前記他の表示部の表示板内で伝播する前記第３光のうち少なくとも一部が漏出するように形成された第３漏出部と、を含む
請求項８に記載の防護柵。
【請求項１０】
前記第３漏出部は、前記第１漏出部及び前記第２漏出部に重ならない位置に形成される
請求項９に記載の防護柵。
【請求項１１】
前記上桁部は、前記第１入射部に沿って側方に延び、
前記下桁部は、前記上桁部の下方で前記第２入射部に沿って側方に延び、
前記上桁部は、前記第１発光素子列を保持し、
前記下桁部は、前記第２発光素子列を保持する
請求項５乃至１０のいずれか１項に記載の防護柵。
【請求項１２】
音を発するスピーカを更に備え、
前記制御回路は、前記方向信号に応じて、前記スピーカから前記音を生じさせる
請求項３乃至１１のいずれか１項に記載の防護柵。
【発明の詳細な説明】
【技術分野】
【０００１】
本発明は、画像を表示する表示機能を有する防護柵に関する。
【背景技術】
【０００２】
防護柵が、自動ドアの前方に設置されることがある。防護柵は、通路が閉鎖される閉位置と通路が開放される開位置との間で移動する扉の戸尻の可動領域から、自動ドアの周囲のヒトを離隔させ、自動ドアの安全性の向上に貢献する。特許文献１は、発光装置が取り付けられた防護柵を開示する。特許文献１の防護柵は、発光装置を用いて、防護柵の縁部を発光させる。この結果、通行者は、自動ドアの動作を知覚することができる。
【先行技術文献】
【特許文献】
【０００３】
【特許文献１】特開２０１１−１２２３２２号公報
【発明の概要】
【発明が解決しようとする課題】
【０００４】
特許文献１の技術は、防護柵の縁部のみを発光させるので、通行者へ与える視覚的効果は、非常に小さい。何かに気を取られている通行者は、当該発光に気づかない恐れがある。
【０００５】
本発明は、扉の移動に連動して通行者に強い視覚的効果を与えることができる防護柵を提供することを目的とする。
【課題を解決するための手段】
【０００６】
本発明の一局面に係る防護柵は、通路が閉鎖される閉位置と前記通路が開放される開位置との間で移動する扉の戸尻の可動領域から自動ドアの周囲のヒトを離隔させるように前記自動ドアの近くで固定される。防護柵は、前記扉の移動に連動して画像を表示する表示面を有する表示部と、前記表示部に光を出射する光源と、前記表示部の上縁に沿って側方に延設される上桁部と、前記表示部の下縁に沿って側方に延設される下桁部と、前記表示部の左縁に沿って床面に立設される左支柱と、前記表示部の右縁に沿って床面に立設される右支柱と、を備えた保持フレームと、前記扉の移動方向を表す方向信号に応じて前記光源を制御する制御回路と、を備える。前記表示部は、前記上桁部と前記下桁部と前記左支柱と前記右支柱とにより保持される。前記制御回路は、前記左支柱と前記右支柱のうちの少なくとも一方に内蔵されている。
【０００７】
この構成によれば、表示部は、床面に立てられた支柱の側方の所定領域を占める表示面を備えるので、表示部は、広い領域を用いて、画像を表示することができる。したがって、通行者は、防護柵から強い視覚的効果を受けることができる。ここで、画像とは、図形、文字、記号もしくは色彩、またはこれらの任意の組み合わせなど視覚によって検知可能な２次元的な情報を含む概念である。
【０００８】
上記構成に関して、前記表示面は、前記光の少なくとも一部を外部に漏出させる漏出部と、前記入射部から前記漏出部まで導く光導波路部と、を含んでもよい。
【０００９】
この構成によれば、表示面は、光源から入射部に入射した光の少なくとも一部を外部に漏出させる漏出部と、前記入射部から前記漏出部まで導く光導波路部と、を含むので、表示部は、画像を表示するための多数の電気部品を要することなく、簡素な構造を用いて画像を表示することができる。
【００１０】
上記構成に関して、防護柵は、前記方向信号を受信する受信部を更に備えてもよい。前記方向信号が、前記閉位置から前記開位置への前記扉の移動を表すとき、前記表示面に、前記画像として、第１画像が表示されるように、前記制御回路は、前記光源を制御してもよい。前記方向信号が、前記開位置から前記閉位置への前記扉の移動を表すとき、前記表示面に、前記画像として、前記第１画像とは異なる第２画像が表示されるように、前記制御回路は、前記光源を制御してもよい。
【００１１】
この構成によれば、表示面上の画像は、扉の移動方向に応じて、第１画像と第２画像との間で切り替えられる。したがって、防護柵は、表示面に表示される画像を用いて、扉の移動方向を、通行者に知らせることができる。よって、扉の移動方向に応じて通行者により強い視覚的効果を与えることができる。
【００１２】
上記構成に関して、前記光源は、前記光として第１光を前記入射部へ出射する複数の第１発光素子が並べられた第１発光素子列と、前記第１光とは色相において相違する第２光を前記光として出射する複数の第２発光素子が並べられた第２発光素子列と、を含んでもよい。前記方向信号が、前記閉位置から前記開位置への前記扉の前記移動を表すとき、前記制御回路は、前記第１発光素子列を点灯させてもよい。前記方向信号が、前記開位置から前記閉位置への前記扉の前記移動を表すとき、前記制御回路は、前記第２発光素子列を点灯させてもよい。
【００１３】
この構成によれば、制御回路は、扉の移動方向に応じて、発光対象を、第１発光素子列と第２発光素子列との間で切り替えるので、表示面上に表示される第１画像及び第２画像は、色相において相違することとなる。したがって、通行者は、色相の相違から、扉の移動方向を認識することができる。
【００１４】
上記構成に関して、前記入射部は、第１入射部と、前記第１入射部に対向する位置に設けられた第２入射部と、を含んでもよい。前記光源は、前記光として第１光を前記第１入射部へ出射する複数の第１発光素子が並べられた第１発光素子列と、前記光として第２光を前記第２入射部へ出射する複数の第２発光素子が並べられた第２発光素子列と、を含んでもよい。前記方向信号が、前記閉位置から前記開位置への前記扉の前記移動を表すとき、前記制御回路は、前記第１発光素子列を点灯させてもよい。前記方向信号が、前記開位置から前記閉位置への前記扉の前記移動を表すとき、前記制御回路は、前記第２発光素子列を点灯させてもよい。
【００１５】
この構成によれば、第１発光素子列は、第１入射部に第１光を出射し、且つ、第２発光素子列は、第１入射部と対向する位置に設けられた第２入射部に第２光を出射するので、第１発光素子列は、第２発光素子列とは異なる位置に配置され得る。したがって、第１発光素子列は、複数の第１発光素子として、多数の発光素子を有することができる。すなわち発光素子の配置密度を高くし、輝度を高くできる。同様に、第２発光素子列は、複数の第２発光素子として、多数の発光素子を有することができる。上記同様に発光素子の配置密度を高くし、輝度を高くできる。したがって、表示部は、明るい画像を表示し、通行者に強い視覚的効果を与えることができる。
【００１６】
上記構成に関して、前記表示面に表示される第１画像は、前記第２入射部よりも前記第１入射部の近くに表示されてもよい。前記表示面に表示される第２画像は、前記第１入射部よりも前記第２入射部の近くに表示されてもよい。
【００１７】
この構成によれば、第１画像は、第２入射部よりも第１入射部に近いので、防護柵は、第１画像を高い輝度で表示することができる。第２画像は、第１入射部よりも第２入射部に近いので、防護柵は、第２画像を高い輝度で表示することができる。
【００１８】
上記構成に関して、前記第１画像は、前記第１入射部から前記第２入射部へ向かう第１方向に直交する第２方向において、前記第２画像と相違する位置に表示されてもよい。
【００１９】
この構成によれば、第１画像は、第１入射部から第２入射部へ向かう第１方向に直交する第２方向において、第２画像と位置的に相違するので、第１画像は、第１光によって専ら発光されるが、第２光によっては明るく発光されない。すなわち、第１画像は、第２光の出射の下では、通行者に視認されにくい。仮に何らかの異常により第１光の代わりに第２光が出射していたとしても、通行者は第１画像を視認しにくいので、通行者は、不適切なタイミングで第１画像を視認しにくくなる。よって、防護柵は、第１画像を不適切なタイミングで表示しないため、扉の移動方向を通行者に誤って通知することを防止できる。
【００２０】
上記構成に関して、前記表示部は、前記第１画像を形成する第１漏出部を有する第１表示板と、前記第２画像を形成する第２漏出部を有する第２表示板と、を含んでもよい。前記第１表示板は、前記第２表示板に隣接されてもよい。前記第１表示板と前記第２表示板との間に形成された境界は、前記第１表示板内で伝播する前記第１光が前記第２表示板に内部伝播することを妨げてもよい。
【００２１】
この構成によれば、第１表示板と第２表示板との間に形成された境界は、第１表示板内で伝播する第１光が第２表示板に内部伝播することを妨げるので、第２画像は、第１光によって形成されにくい。したがって、防護柵は、第２画像を不必要に表示しないため、扉の移動方向を通行者に誤って通知することを防止できる。ここで形成とは、画像を通行者が視認可能な状態にすることをいう。
【００２２】
上記構成に関して、防護柵は、通行者に情報を提示する他の表示部を備えてもよい。前記光源は、前記他の表示部の表示板へ第３光を出射する複数の第３発光素子が並べられた第３発光素子列を含んでもよい。前記他の表示部の表示板は、前記第３光が入射する第３入射部と、前記他の表示部の表示板内で伝播する前記第３光のうち少なくとも一部が漏出するように形成された第３漏出部と、を含んでもよい。
【００２３】
この構成によれば、第３表示板内で伝播する第３光の少なくとも一部は、第３漏出部から漏出するので、防護柵は、第３漏出部から漏出した第３光を用いて、扉の移動とは関係なく、通行者に様々な情報を提供することができる。
【００２４】
上記構成に関して、前記他の表示部の漏出部は、前記第１漏出部及び前記第２漏出部に重ならない位置に形成されてもよい。
【００２５】
この構成によれば、第３漏出部は、第１漏出部及び第２漏出部に重ならない位置に形成されるので、第１画像及び第２画像は、第３光によって表示されることなく、通行者によって視認され得る。
【００２６】
上記構成に関して、前記上桁部は、前記第１発光素子列を保持してもよい。前記下桁部は、前記第２発光素子列を保持してもよい。
【００２７】
この構成によれば、第１発光素子列及び第２発光素子列は、上桁部及び下桁部によって保持されるので、防護柵は、頑健な構造を有することができる。
【００２８】
上記構成に関して、防護柵は、音を発するスピーカを更に備えてもよい。前記制御回路は、前記方向信号に応じて、前記スピーカから前記音を生じさせてもよい。
【００２９】
上記構成によれば、表示制御部は、方向信号に応じて、スピーカから音を生じさせるので、防護柵は、画像だけでなく、音をも用いて、通行者に情報を伝達することができる。
【発明の効果】
【００３０】
上述の防護柵は、扉の移動に連動して通行者に強い視覚的効果を与えることができる。
【図面の簡単な説明】
【００３１】
【図１】第１実施形態の防護柵の概念図である。
【図２】第２実施形態の防護柵の概略図である。
【図３】第３実施形態の防護柵の概念的なブロック図である。
【図４】第４実施形態の防護柵の概略図である。
【図５】第５実施形態の防護柵の概略図である。
【図６】第６実施形態の防護柵の概略的な展開図である。
【図７】第７実施形態の防護柵の概略的な正面図である。
【発明を実施するための形態】
【００３２】
＜第１実施形態＞
自動ドアの前に設置された防護柵が、自動ドアの扉の移動に連動して、画像を、広い領域に表示するならば、防護柵は、強い視覚的効果を以て、通行者に自動ドアの動作に関する情報を与えることができる。第１実施形態において、自動ドアの扉に連動して、広い領域に画像を表示する例示的な防護柵の概念が説明される。なお、画像とは、図形、文字、記号もしくは色彩、またはこれらの任意の組み合わせなど視覚によって検知可能な２次元的な情報を含む概念である。
【００３３】
図１は、第１実施形態の防護柵１００の概念図である。図１を参照して、防護柵１００が説明される。
【００３４】
図１は、自動ドア（図示せず）の扉ＳＤＲの一部を概略的に示す。扉ＳＤＲは、通路（図示せず）が閉鎖される閉位置と、通路が開放される開位置と、の間で移動する。扉ＳＤＲは、戸尻ＴＲＥを含む。扉ＳＤＲが、閉位置から開位置へ移動する間、戸尻ＴＲＥは、扉ＳＤＲの先頭縁となる。
【００３５】
防護柵１００は、戸尻ＴＲＥの可動領域の前方で、床面ＦＬＲに固定される。扉ＳＤＲの周囲のヒトが、戸尻ＴＲＥの可動領域に入り込まないように、防護柵１００の位置は定められる。したがって、防護柵１００は、戸尻ＴＲＥの可動領域から、自動ドアの周囲のヒトを離隔することができる。この結果、自動ドアの周囲のヒトと戸尻ＴＲＥとの間での衝突は、適切に予防される。
【００３６】
防護柵１００は、表示部２００と、保持フレーム３００と、を備える。表示部２００は、扉ＳＤＲの移動に連動して画像を表示する。画像は、所定の形状の画像を表してもよい。あるいは、画像は、単色の平面像であってもよい。本実施形態の原理は、画像によって表される特定の内容に限定されない。
【００３７】
様々な既知の通信技術や既知の画像生成技術は、扉ＳＤＲの移動に連動した画像表示に適用され得る。本実施形態の原理は、扉ＳＤＲの移動に連動した画像表示に利用される特定の技術に限定されない。
【００３８】
保持フレーム３００は、表示部２００を保持する。保持フレーム３００は、床面ＦＬＲから固定的に立設された支柱３１１，３１２を含む。表示部２００は、支柱３１１，３１２によって直接的に接続並びに支持されてもよい。あるいは、表示部２００は、支柱３１１，３１２に連結された他の部材を介して支持されてもよい。本実施形態の原理は、表示部２００と保持フレーム３００との間の特定の接続構造に限定されない。
【００３９】
支柱３１１は、支柱３１２から離れた位置に配置される。支柱３１１，３１２の間の距離は、戸尻ＴＲＥのストロークに適合するように定められてもよい。
【００４０】
表示部２００は、支柱３１１，３１２の間で側方に広がる表示面２１０を含む。表示面２１０は、支柱３１１，３１２の間の領域を占めるので、表示部２００は、大きな画像を表示することができる。したがって、防護柵１００は、通行者に、高い視覚的効果を与えることができる。
【００４１】
表示部２００は、光導波路の構造を有する板材であってもよい。この場合、表示部２００は、光導波路から漏出した光を用いて、画像を表示する。表示部２００は、液晶ディスプレイや有機ＥＬ（Ｅｌｅｃｔｒｏｌｕｍｉｎｅｃｅｎｃｅ）ディスプレイであってもよい。この場合、表示部２００は、画像信号に応じて、様々な画像を表示することができる。本実施形態の原理は、表示部２００として用いられる特定の装置に限定されない。
【００４２】
＜第２実施形態＞
表示部は、光導波路として機能する板材であってもよい。この場合、表示部は、液晶ディスプレイや有機ＥＬディスプレイといった画像表示装置とは異なり、電気部品をほとんど含まないので、防護柵は、頑健な構造を有することができる。第２実施形態において、光導波路として機能する板材を用いて形成された表示部を有する例示的な防護柵が説明される。
【００４３】
図２は、第２実施形態の防護柵１００Ａの概略図である。図１及び図２を参照して、防護柵１００Ａが説明される。「上」、「下」、「左」、「右」、「前」及び「後」といった方向を表す用語は、説明の明瞭化のみを目的とする。これらの用語は、本実施形態の原理を何ら限定しない。
【００４４】
第１実施形態と同様に、防護柵１００Ａは、保持フレーム３００（図１を参照）を備える。第１実施形態の説明は、保持フレーム３００に援用される。
【００４５】
防護柵１００Ａは、表示部２００Ａと、光源４００と、を更に備える。表示部２００Ａは、図１を参照して説明された表示部２００として利用可能である。表示部２００に関する説明は、表示部２００Ａに援用されてもよい。
【００４６】
表示部２００Ａは、前面２２１と、後面２２２と、周縁面２２３と、を含む。後面２２２は、開位置にある扉ＳＤＲ（図１を参照）に対向する。前面２２１は、後面２２２とは反対側に位置する。周縁面２２３は、前面２２１と後面２２２との間で、略矩形状の輪郭を形成する。
【００４７】
周縁面２２３は、上縁面２２４と、下縁面２２５と、左縁面２２６と、右縁面２２７と、を含む。上縁面２２４は、光源４００に対向する。下縁面２２５は、上縁面２２４とは反対側に位置する。左縁面２２６は、上縁面２２４及び下縁面２２５の左端の間で略鉛直に延びる。右縁面２２７は、上縁面２２４及び下縁面２２５の右端の間で略鉛直に延びる。
【００４８】
光源４００は、複数の発光素子４１０を含む。複数の発光素子４１０は、上縁面２２４に沿って並べられる。複数の発光素子４１０それぞれは、上縁面２２４へ光を出射する。複数の発光素子４１０は、発光ダイオードであってもよいし、発光機能を有する他の光学的部品であってもよい。本実施形態の原理は、複数の発光素子４１０それぞれとして用いられる特定の光学的部品に限定されない。
【００４９】
上縁面２２４に入射した光は、その後、前面２２１と後面２２２との間で繰り返し反射され、下縁面２２５に向けて内部伝播する。したがって、前面２２１及び後面２２２は、光導波路として機能することができる。表示部２００Ａは、ガラスやアクリルをベースとして形成されてもよい。この場合、光導波路として機能することができる面は、容易に作り出される。本実施形態において、入射部は、上縁面２２４によって例示される。
【００５０】
前面２２１は、漏出部２２８を含む。前面２２１と後面２２２とによって下方へ導かれた光の一部は、漏出部２２８に到達する。漏出部２２８は、前面２２１と後面２２２との間で繰り返し反射し、下方に向かう光の少なくとも一部を外部へ漏出させる。通行者は、漏出部２２８から漏れ出た光を視認し、防護柵１００Ａから様々な情報を受け取ることができる。漏出部２２８は、内部伝播する光の少なくとも一部が散乱するように、クラッド層として用いられる材料とは屈折率において異なる材料からなる微細な薄層が分散配置されることによって形成されてもよい。あるいは、漏出部２２８は、クラッド層に形成された微細な傷及び／又は凹部が分散配置されることによって形成されてもよい。光導波路に関連する様々な技術及び知見は、漏出部２２８の形成に利用可能である。したがって、本実施形態の原理は、漏出部２２８を形成するための特定の技術に限定されない。本実施形態において、光導波路部は、前面２２１及び後面２２２によって例示される。
【００５１】
図２に示される漏出部２２８は、前面２２１の下部領域を占める。しかしながら、漏出部は、前面２２１の上部領域を占めてもよいし、中央領域を占めてもよい。必要に応じて、漏出部は、後面２２２に形成されてもよい。本実施形態の原理は、漏出部の特定の形成位置に限定されない。
【００５２】
図２に示される漏出部２２８は、前面２２１の一部を占める。しかしながら、漏出部は、前面２２１に全体的に形成されてもよい。本実施形態の原理は、漏出部の大きさによっては何ら限定されない。
【００５３】
図２に示される漏出部２２８は、矩形状であり、漏出部２２８の形状自体は、特定の意味を有さない。しかしながら、漏出部は、特定の情報を表す形状を有してもよい。漏出部が、矢印の形状を有するならば、防護柵は、漏出部からの漏光を利用して、扉ＳＤＲの移動方向に関する情報を、通行者に提供することができる。本実施形態の原理は、漏出部の特定の形状に限定されない。
【００５４】
上述の如く、図２に示される漏出部２２８の形状自体は、特定の意味を有さない。この場合、扉ＳＤＲが移動している間においてのみ、光源４００が光を出射してもよい。漏出部２２８からの漏光があるならば、防護柵１００Ａは、扉ＳＤＲが移動していることを通行者に通知することができる。
【００５５】
光源４００は、扉ＳＤＲが特定の方向に移動している間においてのみ、光を出射してもよい。たとえば、光源４００は、扉ＳＤＲが閉位置から開位置に向けて移動している間のみ、光を出射してもよい。この場合、漏出部２２８からの漏光があるならば、防護柵１００Ａは、扉ＳＤＲが閉位置から開位置に向けて移動していることを通行者に通知することができる。
【００５６】
光源４００は、扉ＳＤＲの移動方向に応じて、光の色相を変更してもよい。たとえば、扉ＳＤＲが、閉位置から開位置へ移動している間、光源４００は、青色光を出射してもよい。一方、扉ＳＤＲが、開位置から閉位置へ移動している間、光源４００は、赤色光を出射してもよい。
【００５７】
上述の如く、光源４００に対して、様々な動作パターンが設計され得る。したがって、本実施形態の原理は、光源４００の特定の動作に限定されない。
【００５８】
＜第３実施形態＞
防護柵は、発光色を変更し、扉の移動方向を通行者に知らせてもよい。第３実施形態において、扉の移動方向に応じて、発光色を変更する例示的な防護柵が説明される。
【００５９】
図３は、第３実施形態の防護柵１００Ｂの概念的なブロック図である。図１乃至図３を参照して、防護柵１００Ｂが説明される。「上」、「下」、「左」、「右」、「前」及び「後」といった方向を表す用語は、説明の明瞭化のみを目的とする。これらの用語は、本実施形態の原理を何ら限定しない。第２実施形態の説明は、第２実施形態と同一の符号が付された要素に援用される。
【００６０】
図３は、建物（図示せず）の通路（図示せず）に設けられる引戸式の自動ドアＡＭＤを示す。自動ドアＡＭＤは、第１実施形態に関連して説明された扉ＳＤＲを備える。自動ドアＡＭＤは、モータＭＴＲと、エンコーダＥＣＤと、を更に備える。モータＭＴＲは、扉ＳＤＲを摺動させるための駆動力を生成する。駆動力は、モータＭＴＲから扉ＳＤＲへ伝達される。既知の様々な伝達機構に関する技術は、モータＭＴＲから扉ＳＤＲへの駆動力の伝達に利用されることができる。したがって、本実施形態の原理は、モータＭＴＲから扉ＳＤＲへ駆動力を伝達するための特定の機構に限定されない。
【００６１】
扉ＳＤＲは、モータＭＴＲによって生成された駆動力によって、開位置と閉位置との間で移動する。防護柵１００Ｂは、扉ＳＤＲの移動に連動して、画像として、単色の平面像を表示する。
【００６２】
エンコーダＥＣＤは、モータＭＴＲに内蔵される。エンコーダＥＣＤは、モータＭＴＲの回転をパルス信号で出力する。扉ＳＤＲの位置は、モータＭＴＲの動作に連動する。扉ＳＤＲの位置は、エンコーダＥＣＤによって生成されるパルス信号のパルスが、予め設定された特定の位置（例えば、全閉位置や全開位置）から積算されることによって算出される。扉ＳＤＲの移動方向は、モータＭＴＲの回転方向から判別され得る。扉ＳＤＲの移動速度は、単位時間当たりに生成されたパルス数が積算されることによって算出される。パルス数の積算は、モータＭＴＲの回転制御を行う自動ドアコントローラ（図示せず）によって行われる。したがって、扉ＳＤＲの移動方向を表す方向信号は、エンコーダＥＣＤ及び／又は自動ドアコントローラから出力される。
【００６３】
本実施形態において、回転型モータが、モータＭＴＲとして利用される。しかしながら、リニアモータが、モータＭＴＲとして利用されてもよい。この場合、エンコーダＥＣＤは、リニアモータの可動子の位置をパルス信号で出力する。エンコーダＥＣＤは、タコジェネレータを用いて回転速度を出力してもよい。この場合、扉ＳＤＲの位置は、回転速度の積分演算によって算出される。エンコーダＥＣＤは、モータＭＴＲとは別体であってもよい。エンコーダＥＣＤは、ホール素子等を用いた磁気式であってもよいし、ＬＥＤ等を用いた光学式であってもよい。上述の如く、本実施形態の原理は、様々な自動ドアに適用可能である。
【００６４】
方向信号は、自動ドアＡＭＤを防護柵１００Ｂと電気的に接続するケーブル（図示せず）を通じて、防護柵１００Ｂへ伝達されてもよい。代替的に、方向信号は、送信装置（図示せず）によって、無線信号として、防護柵１００Ｂへ伝達されてもよい。
【００６５】
エンコーダＥＣＤに代えて、扉ＳＤＲの移動方向を検出することができる他のセンサ素子（たとえば、リミットスイッチ、近接スイッチや光センサ）が用いられてもよい。例えば、扉の閉位置および開位置に配置されたリミットスイッチを用いて、閉位置のリミットスイッチがオフになって開位置のリミットスイッチがオンするまでを開動作中、開位置のリミットスイッチがオフになってから閉位置のリミットスイッチがオンするまでを閉動作中と認識するようにしても良い。本実施形態の原理は、方向信号を生成する特定の装置に限定されない。
【００６６】
第１実施形態と同様に、防護柵１００Ｂは、保持フレーム３００（図１を参照）を備える。第１実施形態の説明は、保持フレーム３００に援用される。
【００６７】
防護柵１００Ｂは、表示部２００Ｂと、光源４００Ｂと、受信部５１０と、制御回路５２０と、を備える。方向信号は、エンコーダＥＣＤから受信部５１０へ伝達される。方向信号が、ケーブルを通じて伝達されるならば、受信部５１０は、ケーブルが接続されるコネクタ素子であってもよい。方向信号が、無線信号であるならば、受信部５１０は、受信機であってもよい。本実施形態の原理は、受信部５１０として用いられる特定の装置に限定されない。
【００６８】
制御回路５２０は、受信部５１０を通じて、方向信号を受け取る。制御回路５２０は、方向信号に応じて、光源４００Ｂを制御する。
【００６９】
光源４００Ｂは、複数の青色発光ダイオード４１１と、複数の赤色発光ダイオード４１２と、を含む。複数の青色発光ダイオード４１１は、図２を参照して説明された複数の発光素子４１０のうち一部に対応する。複数の赤色発光ダイオード４１２は、図２を参照して説明された複数の発光素子４１０のうち残りの一部に対応する。複数の発光素子４１０に関する説明は、複数の青色発光ダイオード４１１及び複数の赤色発光ダイオード４１２それぞれに援用されてもよい。
【００７０】
表示部２００Ｂは、図１を参照して説明された表示部２００として利用可能である。第２実施形態と同様に、表示部２００Ｂは、後面２２２と、周縁面２２３と、を含む。第２実施形態の説明は、これらの要素に援用される。
【００７１】
表示部２００Ｂは、前面２２１Ｂを更に含む。前面２２１Ｂは、後面２２２とは反対側に位置する。前面２２１Ｂには、漏出部２２８Ｂが全体的に形成される。漏出部２２８Ｂは、図２を参照して説明された漏出部２２８と同様の形成技術に基づいて形成される。したがって、漏出部２２８に関する説明は、漏出部２２８Ｂに援用されてもよい。
【００７２】
制御回路５２０が複数の青色発光ダイオード４１１から青色光を出射させると、漏出部２２８Ｂから青色光が漏れ出る。この結果、前面２２１Ｂは、全体的に、青色発光する。制御回路５２０が複数の赤色発光ダイオード４１２から赤色光を出射させると、漏出部２２８Ｂから赤色光が漏れ出る。この結果、前面２２１Ｂは、全体的に、赤色発光する。
【００７３】
複数の青色発光ダイオード４１１は、表示部２００Ｂの上縁面２２４に沿って並べられる。本実施形態において、複数の第１発光素子は、複数の青色発光ダイオード４１１によって例示される。第１発光素子列は、複数の青色発光ダイオード４１１の列によって例示される。
【００７４】
扉ＳＤＲが、閉位置から開位置へ変位するとき、制御回路５２０は、方向信号に応じて、複数の青色発光ダイオード４１１から上縁面２２４へ青色光を出射させる。この間、複数の赤色発光ダイオード４１２は、制御回路５２０の制御下で、消灯される。上述の如く、前面２２１Ｂは、青色光の出射下で、全体的に青色発光する。この結果、通行者は、前面２２１Ｂ上に現れた青色の平面像を視認することができる。本実施形態において、第１画像は、青色の平面像によって例示される。第１光は、青色光によって例示される。
【００７５】
複数の赤色発光ダイオード４１２は、表示部２００Ｂの上縁面２２４に沿って並べられる。本実施形態において、複数の第２発光素子は、複数の赤色発光ダイオード４１２によって例示される。第２発光素子列は、複数の赤色発光ダイオード４１２の列によって例示される。
【００７６】
扉ＳＤＲが、開位置から閉位置へ変位するとき、制御回路５２０は、方向信号に応じて、複数の赤色発光ダイオード４１２から上縁面２２４へ赤色光を出射させる。この間、複数の青色発光ダイオード４１１は、制御回路５２０の制御下で、消灯される。上述の如く、前面２２１Ｂは、赤色光の出射下で、全体的に赤色発光する。この結果、通行者は、前面２２１Ｂ上に現れた赤色の平面像を視認することができる。本実施形態において、第２画像は、赤色の平面像によって例示される。第２光は、赤色光によって例示される。
【００７７】
本実施形態において、青色発光ダイオード４１１及び赤色発光ダイオード４１２は、上縁面２２４に沿って交互に並べられる。しかしながら、青色又は赤色の平面像を表示することを可能にする他の配列パターンが採用されてもよい。本実施形態の原理は、青色発光ダイオード４１１及び赤色発光ダイオード４１２の特定の配列パターンに限定されない。
【００７８】
本実施形態において、防護柵１００Ｂは、青色及び赤色の平面像を選択的に表示する。しかしながら、防護柵は、他の色相を用いて、扉ＳＤＲの移動方向を、通行者に知らせてもよい。したがって、本実施形態の原理は、扉ＳＤＲの移動方向を通知するために用いられる特定の色相に限定されない。
【００７９】
＜第４実施形態＞
第３実施形態において、光源からの光は、表示部の上縁面に入射する。しかしながら、光源からの光は、表示部の複数の縁面に入射してもよい。この場合、多くの発光素子が、画像の表示に用いられ得る。防護柵は、明るい画像を表示することができるので、通行者に強い視覚的効果を与えることができる。第４実施形態において、複数の入射部を有する表示部を含む例示的な防護柵が説明される。
【００８０】
図４は、第４実施形態の防護柵１００Ｃの概略図である。図１及び図４を参照して、防護柵１００Ｃが説明される。「上」、「下」、「左」、「右」、「前」及び「後」といった方向を表す用語は、説明の明瞭化のみを目的とする。これらの用語は、本実施形態の原理を何ら限定しない。第３実施形態の説明は、第３実施形態と同一の符号が付された要素に対して援用される。
【００８１】
第１実施形態と同様に、防護柵１００Ｃは、保持フレーム３００（図１を参照）を備える。第１実施形態の説明は、保持フレーム３００に援用される。第３実施形態と同様に、防護柵１００Ｃは、受信部５１０と、表示部２００Ｂと、を更に備える。第３実施形態の説明は、これらの要素に援用される。
【００８２】
防護柵１００Ｃは、制御回路５２０Ｃと、青色ＬＥＤ列４２０と、赤色ＬＥＤ列４３０と、を含む。制御回路５２０Ｃは、受信部５１０を通じて、方向信号を受け取る。制御回路５２０Ｃは、方向信号を参照し、扉ＳＤＲ（図１を参照）の移動方向を判定する。制御回路５２０Ｃは、扉ＳＤＲの移動方向に関する判定結果に基づき、青色ＬＥＤ列４２０及び赤色ＬＥＤ列４３０を制御する。
【００８３】
青色ＬＥＤ列４２０は、上縁面２２４に沿って並べられた複数の青色発光ダイオード４２１を含む。複数の青色発光ダイオード４２１は、青色光を、表示部２００Ｂの上縁面２２４に向けて出射する。赤色ＬＥＤ列４３０は、下縁面２２５に沿って並べられた複数の赤色発光ダイオード４３１を含む。複数の赤色発光ダイオード４３１は、赤色光を、表示部２００Ｂの下縁面２２５に向けて出射する。本実施形態において、第１発光素子列は、青色ＬＥＤ列４２０によって例示される。第２発光素子列は、赤色ＬＥＤ列４３０によって例示される。複数の第１発光素子は、複数の青色発光ダイオード４２１によって例示される。複数の第２発光素子は、複数の赤色発光ダイオード４３１によって例示される。第１光は、青色光によって例示される。第２光は、赤色光によって例示される。第１光及び第２光それぞれは、他の色相を有してもよい。第１入射部は、上縁面２２４によって例示される。第２入射部は、下縁面２２５によって例示される。
【００８４】
方向信号が、閉位置から開位置への扉ＳＤＲの移動を表すならば、制御回路５２０Ｃは、青色ＬＥＤ列４２０を選択的に点灯させる。青色ＬＥＤ列４２０が点灯している間、赤色ＬＥＤ列４３０は、消灯される。第３実施形態と同様に、前面２２１Ｂは、青色光の出射下で、全体的に青色発光する。この結果、通行者は、前面２２１Ｂ上に現れた青色の平面像を視認することができる。
【００８５】
方向信号が、開位置から閉位置への扉ＳＤＲの移動を表すならば、制御回路５２０Ｃは、赤色ＬＥＤ列４３０を選択的に点灯させる。赤色ＬＥＤ列４３０が点灯している間、青色ＬＥＤ列４２０は、消灯される。第３実施形態と同様に、前面２２１Ｂは、赤色光の出射下で、全体的に赤色発光する。この結果、通行者は、前面２２１Ｂ上に現れた赤色の平面像を視認することができる。
【００８６】
＜第５実施形態＞
漏出部は、扉の動作を表すように形成された特定の形状を有してもよい。この場合、漏出部によって表される画像を見て、様々な情報を防護柵から受け取ることができる。第５実施形態において、画像を表示する表示部を含む例示的な防護柵が説明される。
【００８７】
図５は、第５実施形態の防護柵１００Ｄの概略図である。図１、図２及び図５を参照して、防護柵１００Ｄが説明される。「上」、「下」、「左」、「右」、「前」及び「後」といった方向を表す用語は、説明の明瞭化のみを目的とする。これらの用語は、本実施形態の原理を何ら限定しない。第４実施形態の説明は、第４実施形態と同一の符号が付された要素に対して援用される。
【００８８】
第１実施形態と同様に、防護柵１００Ｄは、保持フレーム３００（図１を参照）を備える。第１実施形態の説明は、保持フレーム３００に援用される。第４実施形態と同様に、防護柵１００Ｄは、受信部５１０と、制御回路５２０Ｃと、を備える。第４実施形態の説明は、これらの要素に援用される。
【００８９】
防護柵１００Ｄは、表示部２００Ｄと、青色ＬＥＤ列４２０Ｄと、赤色ＬＥＤ列４３０Ｄと、を更に備える。表示部２００Ｄは、図１を参照して説明された表示部２００として利用可能である。青色ＬＥＤ列４２０Ｄ及び赤色ＬＥＤ列４３０Ｄは、制御回路５２０Ｃの制御下で点灯及び消灯する。したがって、第４実施形態の説明は、青色ＬＥＤ列４２０Ｄ及び赤色ＬＥＤ列４３０Ｄに対する制御に援用される。
【００９０】
表示部２００Ｄは、左表示板２３０と、右表示板２４０と、を含む。右表示板２４０は、左表示板２３０の右方に配置される。
【００９１】
左表示板２３０は、前面２３１と、後面２３２と、周縁面２３３と、を含む。後面２３２は、開位置にある扉ＳＤＲ（図１を参照）に対向する。前面２３１は、後面２３２とは反対側に位置する。周縁面２３３は、前面２３１と後面２３２との間で、略矩形状の輪郭を形成する。
【００９２】
周縁面２３３は、上縁面２３４と、下縁面２３５と、左縁面２３６と、右縁面２３７と、を含む。上縁面２３４は、青色ＬＥＤ列４２０Ｄに対向する。下縁面２３５は、上縁面２３４とは反対側に位置する。左縁面２３６は、上縁面２３４及び下縁面２３５の左端の間で略鉛直に延びる。右縁面２３７は、上縁面２３４及び下縁面２３５の右端の間で略鉛直に延び、右表示板２４０に全体的に面接触する。
【００９３】
右表示板２４０は、前面２４１と、後面２４２と、周縁面２４３と、を含む。右表示板２４０の前面２４１は、左表示板２３０の前面２３１と略面一である。右表示板２４０の後面２４２は、左表示板２３０の後面２３２と略面一である。周縁面２４３は、前面２４１と後面２４２との間で、略矩形状の輪郭を形成する。
【００９４】
周縁面２４３は、上縁面２４４と、下縁面２４５と、左縁面２４６と、右縁面２４７と、を含む。下縁面２４５は、赤色ＬＥＤ列４３０Ｄに対向する。上縁面２４４は、下縁面２４５とは反対側に位置する。右縁面２４７は、上縁面２４４及び下縁面２４５の右端の間で略鉛直に延びる。左縁面２４６は、上縁面２４４及び下縁面２４５の左端の間で略鉛直に延び、左表示板２３０の右縁面２３７に全体的に面接触する。左表示板２３０の右縁面２３７及び右表示板２４０の左縁面２４６は、左表示板２３０と右表示板２４０との間の境界を形成する。
【００９５】
左表示板２３０の前面２３１は、右向きの矢印形状の図形（画像）を描く漏出部２３８を含む。青色ＬＥＤ列４２０Ｄからの青色光が、左表示板２３０の上縁面２３４に入射すると、青色光は、漏出部２３８を除く領域において、略全反射し、下縁面２３５に向けて内部伝播する。青色光の一部は、漏出部２３８において漏れ出る。漏出部２３８は、図２を参照して説明された漏出部２２８と同様の形成技術に基づいて形成される。したがって、漏出部２２８に関する説明は、漏出部２３８に援用されてもよい。本実施形態において、第１漏出部は、漏出部２３８によって例示される。第１画像は、漏出部２３８によって描かれる右向きの矢印形状の図形（画像）によって例示される。第１表示板は、左表示板２３０によって例示される。
【００９６】
右表示板２４０の前面２４１は、左向きの矢印形状の図形（画像）を描く漏出部２４８を含む。赤色ＬＥＤ列４３０Ｄからの赤色光が、右表示板２４０の下縁面２４５に入射すると、赤色光は、漏出部２４８を除く領域において、略全反射し、上縁面２４４に向けて内部伝播する。赤色光の一部は、漏出部２４８において漏れ出る。漏出部２４８は、図２を参照して説明された漏出部２２８と同様の形成技術に基づいて形成される。したがって、漏出部２２８に関する説明は、漏出部２４８に援用されてもよい。本実施形態において、第２漏出部は、漏出部２４８によって例示される。第２画像は、漏出部２４８によって描かれる左向きの矢印形状の図形（画像）によって例示される。第２表示板は、右表示板２４０によって例示される。
【００９７】
漏出部２３８が表す右向きの矢印は、扉ＳＤＲ（図１を参照）が、閉位置から開位置へ向かっていることを示す。青色ＬＥＤ列４２０Ｄからの青色光が、左表示板２３０の上縁面２３４に入射すると、漏出部２３８は、青色発光する。この結果、通行者は、青色で発光する矢印を視認し、扉ＳＤＲが、閉位置から開位置に向けて移動していることを確認することができる。
【００９８】
漏出部２４８が表す左向きの矢印は、扉ＳＤＲが、開位置から閉位置へ向かっていることを示す。赤色ＬＥＤ列４３０Ｄからの赤色光が、右表示板２４０の下縁面２４５に入射すると、漏出部２４８は、赤色発光する。この結果、通行者は、赤色で発光する矢印を視認し、扉ＳＤＲが、開位置から閉位置に向けて移動していることを確認することができる。
【００９９】
左表示板２３０の上縁面２３４は、右表示板２４０の上縁面２４４と略面一である。左表示板２３０の下縁面２３５は、右表示板２４０の下縁面２４５と略面一である。漏出部２３８は、下縁面２３５よりも上縁面２３４の近くに形成される。したがって、上縁面２３４へ入射した青色光は、高い強度で、漏出部２３８を発光させることができる。漏出部２４８は、上縁面２４４よりも下縁面２４５の近くに形成される。したがって、下縁面２４５へ入射した赤色光は、高い強度で、漏出部２４８を発光させることができる。
【０１００】
青色ＬＥＤ列４２０Ｄは、複数の青色発光ダイオード４２１Ｄを含む。青色発光ダイオード４２１Ｄは、左表示板２３０の上縁面２３４に対向する一方で、右表示板２４０の上縁面２４４には対向しない。したがって、青色光は、左表示板２３０の上縁面２３４に専ら入射する。
【０１０１】
赤色ＬＥＤ列４３０Ｄは、複数の赤色発光ダイオード４３１Ｄを含む。赤色発光ダイオード４３１Ｄは、右表示板２４０の下縁面２４５に対向する一方で、左表示板２３０の上縁面２３４には対向しない。したがって、赤色光は、右表示板２４０の下縁面２４５に専ら入射する。
【０１０２】
上述の如く、漏出部２３８，２４８は、垂直位置において相違する。加えて、漏出部２３８，２４８は、水平位置においても相違する。したがって、漏出部２３８は、青色光によって、専ら発光される。漏出部２４８は、赤色光によって専ら発光される。本実施形態において、第１方向は、垂直方向によって例示される。第２方向は、水平方向によって例示される。
【０１０３】
左表示板２３０から右表示板２４０へ向けて拡散伝播する青色光は、左表示板２３０の右縁面２３７及び右表示板２４０の左縁面２４６によって形成される境界で内部反射される。したがって、漏出部２４８は、青色光によっては発光されにくい。右表示板２４０から左表示板２３０へ向けて拡散伝播する赤色光は、左表示板２３０の右縁面２３７及び右表示板２４０の左縁面２４６によって形成される境界で内部反射される。したがって、漏出部２３８は、赤色光によっては発光されにくい。
【０１０４】
＜第６実施形態＞
設計者は、追加的な表示部（表示板及び光源）を用いて、防護柵が伝達する情報の種類を増加させてもよい。この場合、防護柵は、自動ドアの動作に関する動作情報だけでなく、企業広告や防護柵が設置されている建物の情報や当該建物に入っているテナントの情報などを表示することができる。第６実施形態において、追加的な表示部（表示板及び光源）を含む例示的な防護柵が説明される。
【０１０５】
図６は、第６実施形態の防護柵１００Ｅの概略的な展開図である。図１及び図６を参照して、防護柵１００Ｅが説明される。「上」、「下」、「左」、「右」、「前」及び「後」といった方向を表す用語は、説明の明瞭化のみを目的とする。これらの用語は、本実施形態の原理を何ら限定しない。第５実施形態の説明は、第５実施形態と同一の符号が付された要素に対して援用される。
【０１０６】
第１実施形態と同様に、防護柵１００Ｅは、保持フレーム３００（図１を参照）を備える。第１実施形態の説明は、保持フレーム３００に援用される。第５実施形態と同様に、防護柵１００Ｅは、左表示板２３０と、右表示板２４０と、受信部５１０と、青色ＬＥＤ列４２０Ｄと、赤色ＬＥＤ列４３０Ｄと、を備える。第５実施形態の説明は、これらの要素に援用される。
【０１０７】
防護柵１００Ｅは、追加的な表示部の表示板２５０と、追加的なＬＥＤ列４４０と、制御回路５２０Ｅと、を更に備える。第６実施形態と同様に、制御回路５２０Ｅは、扉ＳＤＲ（図１を参照）の移動方向に合わせて、青色ＬＥＤ列４２０Ｄ及び赤色ＬＥＤ列４３０Ｄのうち一方を点灯させる。第５実施形態の説明は、青色ＬＥＤ列４２０Ｄ及び赤色ＬＥＤ列４３０Ｄに対する制御に援用される。
【０１０８】
制御回路５２０Ｅは、ＬＥＤ列４４０を更に制御する。青色ＬＥＤ列４２０Ｄ及び赤色ＬＥＤ列４３０Ｄとは異なり、制御回路５２０Ｅは、ＬＥＤ列４４０の点灯動作を扉ＳＤＲの動作に連動させなくてもよい。たとえば、制御回路５２０Ｅは、ＬＥＤ列４４０を常時点灯させてもよい。代替的に、制御回路５２０Ｅは、所定の外部信号に応じて、ＬＥＤ列４４０の点灯を制御してもよい。本実施形態の原理は、ＬＥＤ列４４０に対する特定の制御に限定されない。
【０１０９】
表示板２５０は、左表示板２３０及び右表示板２４０それぞれよりも小さい。表示板２５０は、漏出部２３８，２４８に重ならないように、左表示板２３０及び右表示板２４０の前面２３１，２４１に重ねられる。本実施形態において、他の表示部および他の表示部の表示板は、表示板２５０によって例示される。
【０１１０】
表示板２５０は、前面２５１と、後面２５２と、周縁面２５３と、を含む。後面２５２は、左表示板２３０及び右表示板２４０の前面２３１，２４１に当接される。前面２５１は、後面２５２とは反対側に位置する。周縁面２５３は、前面２５１と後面２５２との間で、略矩形状の輪郭を形成する。
【０１１１】
周縁面２５３は、上縁面２５４と、下縁面２５５と、左縁面２５６と、右縁面２５７と、を含む。上縁面２５４は、ＬＥＤ列４４０に対向する。表示板２５０の上縁面２５４が、左表示板２３０及び右表示板２４０の上縁面２３４，２４４と略面一となるように、表示板２５０は、左表示板２３０及び右表示板２４０に重ねられてもよい。下縁面２５５は、上縁面２５４とは反対側に位置する。左縁面２５６は、上縁面２５４及び下縁面２５５の左端の間で略鉛直に延びる。右縁面２５７は、上縁面２５４及び下縁面２５５の右端の間で略鉛直に延びる。
【０１１２】
ＬＥＤ列４４０は、複数の発光ダイオード４４１を含む。複数の発光ダイオード４４１は、表示板２５０の上縁面２５４に向けて、光を出射する。複数の発光ダイオード４４１から出射される光の色相は、表示板２５０上で表示される画像の意匠に適合するように決定されてもよい。本実施形態の原理は、ＬＥＤ列４４０から出射される光の特定の色相に限定されない。本実施形態において、第３発光素子列は、ＬＥＤ列４４０によって例示される。複数の第３発光素子は、複数の発光ダイオード４４１によって例示される。第３光は、ＬＥＤ列４４０から出射される光によって例示される。第３入射部は、表示板２５０の上縁面２５４によって例示される。
【０１１３】
ＬＥＤ列４４０の複数の発光ダイオード４４１は、青色ＬＥＤ列４２０Ｄに略平行に並べられてもよい。この場合、ＬＥＤ列４４０及び青色ＬＥＤ列４２０Ｄは、狭い空間に配置されることができる。
【０１１４】
表示板２５０の前面２５１は、漏出部２５８を含む。ＬＥＤ列４４０からの光が、表示板２５０の上縁面２５４に入射すると、光は、漏出部２５８を除く領域において、略全反射し、下縁面２５５に向けて内部伝播する。光の一部は、漏出部２５８において漏れ出る。漏出部２５８は、矢印の図形（画像）を描く漏出部２３８，２４８と同様の方法で形成されてもよい。
【０１１５】
図６に示される漏出部２５８は、星形である。表示板２５０を設計する設計者は、漏出部に他の形状を与えてもよい。たとえば、設計者は、企業や商品のロゴマークが表されるように、漏出部２５８を形成してもよい。本実施形態の原理は、漏出部２５８の特定の形状に限定されない。本実施形態において、第３漏出部は、漏出部２５８によって例示される。第３画像は、漏出部２５８によって描かれる星形マークによって例示される。
【０１１６】
＜第７実施形態＞
設計者は、第６実施形態に関連して説明された設計原理に従って、様々な防護柵を設計することができる。第７実施形態において、例示的な防護柵が説明される。
【０１１７】
図７は、第７実施形態の防護柵１００Ｆの概略的な正面図である。図１、図６及び図７を参照して、防護柵１００Ｆが説明される。
【０１１８】
防護柵１００Ｆは、表示部２００Ｆと、保持フレーム３００Ｆと、を備える。保持フレーム３００Ｆは、図１を参照して説明された保持フレーム３００に相当する。表示部２００Ｆは、重畳された表示板２６０，２７０を含む。表示板２６０は、表示板２７０よりも大きい。表示板２６０は、図６を参照して説明された左表示板２３０及び右表示板２４０に対応する。表示板２７０は、図６を参照して説明された表示板２５０に対応する。
【０１１９】
表示板２６０は、水平方向に並べられた複数の矩形板（図示せず）から形成される。複数の矩形板それぞれは、図６を参照して説明された左表示板２３０又は右表示板２４０に相当し、光導波路としての機能を有する。複数の矩形板は、ガラスやアクリルをベースとして形成されてもよい。表示板２６０上に描かれた矢印マーク２６１は、図６を参照して説明された漏出部２３８，２４８に相当する。矢印マーク２６１は、光の供給下で発光する。
【０１２０】
表示板２７０は、表示板２６０に重ねられる。表示板２７０は、光導波路としての機能を有する矩形板から形成される。矩形板は、ガラスやアクリルをベースとして形成されてもよい。表示板２７０上に描かれたロゴマーク２７１は、図６を参照して説明された漏出部２５８に相当する。ロゴマーク２７１は、光の供給下で発光する。
【０１２１】
保持フレーム３００Ｆは、左支柱３１１Ｆと、右支柱３１２Ｆと、上桁部３１３と、下桁部３１４と、４つの保持爪３２１，３２２，３２３，３２４と、を含む。左支柱３１１Ｆは、表示板２６０の左縁に沿って立設される。右支柱３１２Ｆは、表示板２６０の右縁に沿って立設される。左支柱３１１Ｆ及び右支柱３１２Ｆそれぞれの下端は、床面ＦＬＲに固定される。
【０１２２】
図６を参照して説明された制御回路５２０Ｅは、左支柱３１１Ｆ及び／又は右支柱３１２Ｆに内蔵されてもよい。加えて、受信部５１０として用いられるコネクタ素子（図示せず）や受信機（図示せず）も、左支柱３１１Ｆ及び／又は右支柱３１２Ｆに取り付けられてもよい。
【０１２３】
保持爪３２１，３２２は、左支柱３１１Ｆから右方に突出し、表示板２６０の右縁近くの領域に接続される。保持爪３２３，３２４は、右支柱３１２Ｆから左方に突出し、表示板２６０の左縁近くの領域に接続される。保持爪３２２，３２４は、保持爪３２１，３２３の下方に位置する。表示板２６０は、保持爪３２１，３２２，３２３，３２４に連結されるので、左支柱３１１Ｆ及び右支柱３１２Ｆは、表示板２６０を適切に保持することができる。
【０１２４】
上桁部３１３は、表示板２６０及び表示板２７０の上縁に沿って側方に延設される。下桁部３１４は、上桁部３１３の下方で、表示板２６０の下縁に沿って側方に延設される。図６を参照して説明された青色ＬＥＤ列４２０Ｄ及びＬＥＤ列４４０は、上桁部３１３に内蔵されてもよい。図６を参照して説明された赤色ＬＥＤ列４３０Ｄは、下桁部３１４に内蔵されてもよい。
【０１２５】
保持フレーム３００Ｆには、他の追加的な設備が取り付けられてもよい。たとえば、音を発するスピーカ（図示せず）が、保持フレーム３００Ｆに組み込まれてもよい。この場合、保持フレーム３００Ｆに内蔵された制御回路５２０Ｅは、青色ＬＥＤ列４２０Ｄ、赤色ＬＥＤ列４３０Ｄ及びＬＥＤ列４４０に加えて、スピーカを制御してもよい。制御回路５２０Ｅは、方向信号に応じて、スピーカから音を出力してもよい。
【０１２６】
上述の様々な実施形態に関連して説明された防護柵は、様々な自動ドアに適用可能である。上述の様々な実施形態のうち１つに関連して説明された様々な特徴のうち一部が、他のもう１つの実施形態に関連して説明された技術に適用されてもよい。
【産業上の利用可能性】
【０１２７】
上述の実施形態の原理は、様々な自動ドアに好適に利用される。
【符号の説明】
【０１２８】
１００〜１００Ｆ・・・・・・・・・・・・・・・防護柵
２００，２００Ａ，２００Ｂ，２００Ｆ・・・・・表示部
２１０・・・・・・・・・・・・・・・・・・・・表示面
２２１・・・・・・・・・・・・・・・・・・・・前面（光導波路部）
２２２・・・・・・・・・・・・・・・・・・・・後面（光導波路部）
２２４・・・・・・・・・・・・・・・・・・・・上縁面（入射部、第１入射部）
２２５・・・・・・・・・・・・・・・・・・・・下縁面（入射部、第２入射部）
２２８，２２８Ｂ・・・・・・・・・・・・・・・漏出部
２３８・・・・・・・・・・・・・・・・・・・・漏出部（第１漏出部）
２４８・・・・・・・・・・・・・・・・・・・・漏出部（第２漏出部）
２５０・・・・・・・・・・・・・・・・・・・・表示板（他の表示部、他の表示板）
２５８・・・・・・・・・・・・・・・・・・・・漏出部（第３漏出部）
３００，３００Ｆ・・・・・・・・・・・・・・・保持フレーム
３１１，３１２，３１１Ｆ，３１２Ｆ・・・・・・支柱
３１３・・・・・・・・・・・・・・・・・・・・上桁部
３１４・・・・・・・・・・・・・・・・・・・・下桁部
４００，４００Ｂ・・・・・・・・・・・・・・・光源
４１１，４２１，４２１Ｄ・・・・・・・・・・・青色発光ダイオード（第１発光素子）
４１２，４３１，４３１Ｄ・・・・・・・・・・・赤色発光ダイオード（第２発光素子）
４２０，４２０Ｄ・・・・・・・・・・・・・・・青色ＬＥＤ列（第１発光素子列）
４３０，４３０Ｄ・・・・・・・・・・・・・・・赤色ＬＥＤ列（第２発光素子列）
４４０・・・・・・・・・・・・・・・・・・・・ＬＥＤ列４４０（第３発光素子列）
４４１・・・・・・・・・・・・・・・・・・・・発光ダイオード（第３発光素子）
５１０・・・・・・・・・・・・・・・・・・・・受信部
５２０，５２０Ｃ，５２０Ｅ・・・・・・・・・・制御回路
ＡＭＤ・・・・・・・・・・・・・・・・・・・・自動ドア
ＳＤＲ・・・・・・・・・・・・・・・・・・・・扉
ＴＲＥ・・・・・・・・・・・・・・・・・・・・戸尻
【図１】
0006692199.tif 000002
【図２】
0006692199.tif 000003
【図３】
0006692199.tif 000004
【図４】
0006692199.tif 000005
【図５】
0006692199.tif 000006
【図６】
0006692199.tif 000007
【図７】
0006692199.tif 000008